(57)【特許請求の範囲】
【請求項１】
表示画面を有する本体部を備える薄型テレビジョンを梱包箱内に梱包する梱包構造であって、
上方に開口を有し、奥行き寸法が幅方向より小さい直方体形状の筐体である底箱と、
軟質材で形成され、前記底箱内に載置され、前記薄型テレビジョンの本体部を載せる緩衝部材と、
開口筐体であり、前記緩衝部材に載せられた薄型テレビジョンの本体部の上角部のそれぞれに被せられる２つのコーナーパットと、
両端において長さ調整可能な２つの第１ベルト部材と、
前記２つのコーナーパットの両側面それぞれに取り付けられた４つの第２ベルト部材と、を有し、
前記２つの第１ベルト部材の中央部分は、前記底箱の長手方向中央部かつ奥行き方向の両端部に固定され、
前記２つの第１ベルト部材の両端部と前記４つの第２ベルト部材とをそれぞれ締結することにより、前記緩衝部材に載せられた薄型テレビジョンを固定する、
薄型テレビジョンの梱包構造。
【請求項２】
前記底箱の内面と略同じ大きさの長方形で、前記底箱の上に載せられる合板をさらに有し、
前記緩衝部材は、前記合板の上に載せられ、
前記第１ベルト部材の両端部は、前記底箱の正面壁あるいは背面壁と前記合板との間から外方に露出された状態となる、
請求項１記載の薄型テレビジョンの梱包構造。
【発明の詳細な説明】
【技術分野】
【０００１】
本発明は、破損することなく薄型テレビジョンを搬送するための薄型テレビジョンの梱包構造に関する。
【背景技術】
【０００２】
従来の薄型テレビジョンの梱包構造では、梱包箱の底板と薄型テレビジョンの台座との間および梱包箱の天板と薄型テレビジョンの上部との間に、段ボール製あるいは発泡スチロール製の緩衝部材（補強部材）が入れられている（特許文献１参照）。これらの補強部材は、外部からの振動、衝撃等を吸収し、搬送途中で薄型テレビジョンが破損することを防止する。
【先行技術文献】
【特許文献】
【０００３】
【特許文献１】特開２００８−７４４１７号公報
【発明の概要】
【発明が解決しようとする課題】
【０００４】
薄型テレビジョンには、形状や大きさが異なる様々な機種が存在する。
【０００５】
従来技術では、補強部材を機種毎に用意しなければならず、コスト増となり、廃棄のための環境負荷が大きくなる。さらに、従来技術では、補強部材の体積が大きいため、未使用時に梱包材を保管するために大きなスペースが必要となる。
【０００６】
本発明は、かかる点に鑑みてなされたものであり、様々な機種を梱包することができ、梱包材をコンパクトにすることができる薄型テレビジョンの梱包構造を提供することを目的とする。
【課題を解決するための手段】
【０００７】
本発明の薄型テレビジョンの梱包構造は、表示画面を有する本体部を備える薄型テレビジョンを梱包箱内に梱包する梱包構造であって、上方に開口を有し、奥行き寸法が幅方向より小さい直方体形状の筐体である底箱と、軟質材で形成され、前記底箱内に載置され、前記薄型テレビジョンの本体部を載せる緩衝部材と、開口筐体であり、前記緩衝部材に載せられた薄型テレビジョンの本体部の上角部のそれぞれに被せられる２つのコーナーパットと、両端において長さ調整可能な２つの第１ベルト部材と、前記２つのコーナーパットの両側面それぞれに取り付けられた４つの第２ベルト部材と、を有し、前記２つの第１ベルト部材の中央部分は、前記底箱の長手方向中央部かつ奥行き方向の両端部に固定され、前記２つの第１ベルト部材の両端部と前記４つの第２ベルト部材とをそれぞれ締結することにより、前記緩衝部材に載せられた薄型テレビジョンを固定する、構成を採る。
【発明の効果】
【０００８】
本発明によれば、２つの第１ベルト部材の両端の長さを容易に調整することができるので、様々な機種を梱包することができ、梱包材をコンパクトにすることができる。したがって、機種毎に梱包構造を用意する従来技術に比べてコストを抑えることができ、廃棄のための環境負荷を小さくすることができる。さらに、本発明によれば、梱包箱の天板と薄型テレビジョンの上部との間の緩衝部材は不要となる。さらに、本実施の形態の梱包構造では、従来のように、梱包箱の底板と薄型テレビジョンの台座との間の空間全体を緩衝部材で埋める必要はない。したがって、従来の梱包構造に比べて、梱包材をコンパクトにすることができ、未使用時に梱包材を保管するためのスペースを小さくすることができる。
【図面の簡単な説明】
【０００９】
【図１】本発明の一実施の形態に係る梱包構造の構成を示す外観図（正面図、右側面図）
【図２】図１の梱包構造の断面図
【図３】底箱の外観図（平面図、正面断面図）
【図４】コーナーパットの外観図（正面図、左側面断面図）
【図５】本発明の一実施の形態に係る梱包構造の梱包過程を示す図
【発明を実施するための形態】
【００１０】
以下、本発明の実施の形態について、図面を参照して詳細に説明する。
【００１１】
［梱包構造の構成］
図１は、本発明の一実施の形態に係る梱包構造の構成を示す外観図である。図１（Ａ）は正面図、図１（Ｂ）は右側面図である。また、図２（Ａ）は図１のＡ−Ａ断面図、図２（Ｂ）は図１のＢ−Ｂ断面図である。
【００１２】
本実施の形態に係る梱包構造は、薄型テレビジョン１を梱包する。薄型テレビジョン１は、略矩形の平板状をなす筐体の幅広の一面に表示画面（パネル）を有する本体部と、表示画面の反対面に固定されて本体部を支持するスタンドとを備える。なお、以下の記述では、薄型テレビジョン１の表示画面が設けられた側を正面側と呼称し、これの反対側を背面側と呼称し、表示画面に向かって左、右、上、下をそれぞれ左側、右側、上側及び下側と呼称する。また、薄型テレビジョン１のスタンドは、床面、テレビ台等に当接する板状の台座と、この台座に立設されて端部が液晶テレビ１の本体部の背面に連結される支軸部とを有する。
【００１３】
図１、図２に示すように、本実施の形態に係る梱包構造は、底箱１０と、合板２０と、地パッド３０と、緩衝部材４０ａ、４０ｂと、パネル用保護布５０と、コーナーパット６０ａ、６０ｂと、上箱７０と、から主に構成される。
【００１４】
底箱１０は、薄型テレビジョン１を収容するに十分な大きさの、奥行き寸法が幅方向より小さい上方開口の直方体形状の筐体である。なお、底箱１０の構成の詳細については後述する。
【００１５】
合板２０は、木製で、底箱１０の内面と略同じ大きさの長方形の平板であり、底箱１０を地面においた状態で底箱１０の上に置かれる。
【００１６】
地パッド３０は、発泡ウレタン等の軟質材で、合板２０と略同じ大きさの略長方形の平板であり、合板２０の上に置かれる。
【００１７】
緩衝部材４０ａ、４０ｂは、発泡ウレタン等の軟質材で、地パッド３０の上に置かれる。緩衝部材４０ａ、４０ｂの上面には、薄型テレビジョン１の本体部の下面が載せられる。薄型テレビジョン１が緩衝部材４０ａ、４０ｂに乗せられた状態では、薄型テレビジョン１の台座が、地パッド３０から浮いた状態になる。なお、地パッド３０は必須の構成ではなく、緩衝部材４０ａ、４０ｂを合板２０の上に置いても良い。
【００１８】
パネル用保護布５０は、薄型テレビジョン１の表示画面を保護するために、緩衝部材４０ａ、４０ｂの上に置かれた薄型テレビジョン１の本体部の上から、表示画面全体を覆うように被せられる。
【００１９】
コーナーパット６０ａ、６０ｂは、段ボール製で、互いに対照な同型の三角形上の開口筐体である。コーナーパット６０ａ、６０ｂは、薄型テレビジョン１の本体部の上角部のそれぞれに、パネル用保護布５０の上から被せられる。この状態で、後述する内側結束ベルト部分６７ａ１、６７ａ２、６７ｂ１、６７ｂ２が、それぞれ、後述する内側結束ベルト部分１３ａ、１３ｂの両端と締結される。なお、コーナーパット６０ａの構成の詳細については後述する。
【００２０】
上箱７０は、段ボール製で、下方開口の直方体形状の筐体の天箱７１に四角筒状の側面部７２が内嵌固定されることにより形成される。上箱７０の外周の大きさは、底箱１０の内周の大きさと略等しい。梱包時には、上箱７０は底箱１０に内嵌される。また、上箱７０の天箱７１には取手が設けられる。
【００２１】
底箱１０に上箱７０が被せられた状態で、後述する外側結束ベルト１４ａ、１４ｂが、上箱７０にかけられ、締結される。これにより、図１に示した梱包姿となる。
【００２２】
［底箱の構成の詳細］
図３は、底箱１０の外観図である。図３（Ａ）は平面図、図３（Ｂ）は正面断面図である。図３に示すように、底箱１０は、底箱本体１１と、底板１２と、内側結束ベルト部分１３ａ、１３ｂと外側結束ベルト１４ａ、１４ｂと、から構成される。
【００２３】
底箱本体１１は、段ボール製で、奥行き寸法が幅方向より小さい略長方形の底壁部１１ａと、底壁部１１ａの四辺に略垂直に設けられた正面壁部１１ｂ、背面壁部１１ｃ、右壁部１１ｄ及び左壁部１１ｅと、からなる。
【００２４】
底板１２は、段ボール製で、底壁部１１ａと略同じ大きさの略長方形の平板であり、底箱本体１１の底面に貼り付けられる。底板１２が貼り付けられた底箱本体１１は、上方開口の直方体形状の筐体となる。
【００２５】
内側結束ベルト部分１３ａ、１３ｂは、両端に、後述する内側結束ベルト部分６７ａ１、６７ａ２、６７ｂ１、６７ｂ２と締結するための差込み側固締具が取り付けられ、差込み側固締具の近傍には長さを調整するための調整機構が設けられている。内側結束ベルト部分１３ａ、１３ｂの中央部分は、底壁部１１ａの長手方向中央部かつ奥行き方向の両端部に、右壁部１１ｄ及び左壁部１１ｅと並行に取り付けられる。内側結束ベルト部分１３ａ、１３ｂの両端部は、合板２０が底壁部１１ａの上に置かれる際に、正面壁部１１ｂあるいは背面壁部１１ｃと合板２０との間から外方に露出された状態となる。
【００２６】
外側結束ベルト１４ａ、１４ｂは、それぞれの両端の一方ずつに、差込み側固締具、受け側固締具が取り付けられ、差込み側固締具の近傍には長さを調整するための調整機構が設けられている。外側結束ベルト１４ａ、１４ｂの中央部分は、底壁部１１ａの内面側端部に、正面壁部１１ｂから背面壁部１１ｃにかけて右壁部１１ｄ及び左壁部１１ｅと並行に取り付けられる。外側結束ベルト１４ａ、１４ｂの両端部は、底板１２が底壁部１１ａに貼り付けられる際に、正面壁部１１ｂあるいは背面壁部１１ｃと底壁部１１ａとの間の隙間から外方に露出された状態となる。
【００２７】
［コーナーパットの構成の詳細］
図４は、コーナーパット６０ａの外観図である。図４（Ａ）は正面図、図４（Ｂ）は左側面断面図である。図４に示すように、コーナーパット６０ａは、略長方形の上壁部６１ａと、上壁部６１ａの一方の短辺に略垂直に設けられた略長方形の側面壁部６２ａと、上壁部６１ａ及び側面壁部６２ａの一方の長辺に略垂直に設けられた略三角形の正面壁部６３ａ、背面壁部６４ａと、からなる。
【００２８】
コーナーパット６０ａの正面壁部６３ａ及び背面壁部６４ａには、取り付け孔６５ａ１、６５ａ２が設けられる。取り付け孔６５ａ１、６５ａ２の周囲には、それぞれ補強具６６ａ１、６６ａ２が取り付けられる。
【００２９】
補強具６６ａ１、６６ａ２が取り付けられた取り付け孔６５ａ１、６５ａ２には、内側結束ベルト部分６７ａ１、６７ａ２が通される。内側結束ベルト部分６７ａ１、６７ａ２は、輪状に形成され、受け側固締具が取り付けられる。
【００３０】
コーナーパット６０ａが薄型テレビジョン１に被せられた際、上壁部６１ａ、側面壁部６２ａは、それぞれ、パネル用保護布５０を介して、薄型テレビジョン１の本体部の上面、右側面に当接する。
【００３１】
なお、コーナーパット６０ｂは、コーナーパット６０ａと対照であり、内側結束ベルト部分６７ｂ１、６７ｂ２を有する。
【００３２】
［薄型テレビジョンの梱包手順］
次に、図５を用いて、薄型テレビジョン１の梱包手順を説明する。図５は、本発明の一実施の形態に係る梱包構造の梱包過程を示す図である。
【００３３】
まず、図５（Ａ）に示すように、開口部が上を向くように底箱１０を置き、底箱１０の上に、合板２０、地パッド３０及び緩衝部材４０ａ、４０ｂを置く。
【００３４】
次に、図５（Ｂ）に示すように、緩衝部材４０ａ、４０ｂの上面に、薄型テレビジョン１の本体部の下面を載せる。このとき、薄型テレビジョン１の台座が、地パッド３０から浮いた状態になる。
【００３５】
次に、図５（Ｃ）に示すように、薄型テレビジョン１にパネル用保護布５０を被せ、その上から、薄型テレビジョン１の本体部の上角部のそれぞれに、コーナーパット６０ａ、６０ｂをはめる。
【００３６】
次に、図５（Ｄ）に示すように、コーナーパット６０ａ、６０ｂの内側結束ベルト部分６７ａ１、６７ａ２、６７ｂ１、６７ｂ２と、底箱１０の内側結束ベルト部分１３ａ、１３ｂの両端とをそれぞれ締結する。
【００３７】
次に、図５（Ｅ）に示すように、上箱７０を薄型テレビジョン１に被せ、底箱１０に内嵌させる。
【００３８】
最後に、図５（Ｆ）に示すように、外側結束ベルト１４ａ、１４ｂを上箱７０にかけ、締結する。これにより、梱包作業が完了し、図１に示した梱包姿となる。
【００３９】
［本実施の形態の特徴、効果］
本実施の形態にかかる梱包構造は、コーナーパット６０ａ、６０ｂの内側結束ベルト部分６７ａ１、６７ａ２、６７ｂ１、６７ｂ２と、底箱１０の、長さ調整可能な内側結束ベルト部分１３ａ、１３ｂの両端と、をそれぞれ締結することにより、緩衝部材４０ａ、４０ｂに載せた薄型テレビジョン１を固定する、ことに特徴がある。
【００４０】
正面において、内側結束ベルト部分１３ａ、１３ｂは、薄型テレビジョン１の下方中央部分にある。また、内側結束ベルト部分６７ａ１、６７ａ２、６７ｂ１、６７ｂ２は、薄型テレビジョン１の上角部に存在する（図２（Ａ）参照）。したがって、これらを締結すると、薄型テレビジョン１には内方向及び下方向に力が作用する。内方向のそれぞれの力の均衡により、薄型テレビジョン１は、左右方向において固定される。また、下方向の力と緩衝部材４０ａ、４０の反発力との均衡により、薄型テレビジョン１は上下方向において固定される。
【００４１】
また、側面において、内側結束ベルト部分１３ａ、１３ｂの両端及び内側結束ベルト部分６７ａ１、６７ａ２、６７ｂ１、６７ｂ２は、薄型テレビジョン１より外側に存在する。したがって、これらを締結すると、正面側、背面側の双方に対して外方向に力が作用する。これらの力の均衡により、薄型テレビジョン１は、前後方向において固定される。
【００４２】
このように、本実施の形態によれば、薄型テレビジョン１をいずれの方向にも固定することができるので、搬送途中で薄型テレビジョン１が倒れて破損することを防止することができる。
【００４３】
また、緩衝部材４０ａ、４０ｂが、外部からの振動、衝撃等を吸収するので、搬送途中で薄型テレビジョン１が振動、衝撃によって破損することを防止することができる。
【００４４】
さらに、本実施の形態によれば、内側結束ベルト部分１３ａ、１３ｂの両端の長さを容易に調整することができるので、薄型テレビジョン１の様々な機種を梱包することができる。したがって、機種毎に梱包構造を用意する従来技術に比べてコストを抑えることができ、廃棄のための環境負荷を小さくすることができる。
【００４５】
また、本実施の形態の梱包構造では、梱包箱の天板と薄型テレビジョン１の上部との間の緩衝部材は不要となる。さらに、本実施の形態の梱包構造では、従来のように、梱包箱の底板と薄型テレビジョンの台座との間の空間全体を緩衝部材で埋める必要はない。したがって、従来の梱包構造に比べて、梱包材をコンパクトにすることができ、未使用時に梱包材を保管するためのスペースを小さくすることができる。
【００４６】
なお、内側結束ベルト部分１３ａ、１３ｂの両端及び内側結束ベルト部分６７ａ１、６７ａ２、６７ｂ１、６７ｂ２は、薄型テレビジョン１より外側に存在するので、これらが、薄型テレビジョン１の表示画面に当たることがなく、表示画面が損傷することはない。
【産業上の利用可能性】
【００４７】
本発明は、薄型テレビジョンを梱包する場合に利用可能である。
【符号の説明】
【００４８】
１  薄型テレビジョン
１０  底箱
１３ａ、１３ｂ  内側結束ベルト部分
１４ａ、１４ｂ  外側結束ベルト
２０  合板
３０  地パッド
４０ａ、４０ｂ  緩衝部材
５０  パネル用保護布
６０ａ、６０ｂ  コーナーパット
６７ａ１、６７ａ２、６７ｂ１、６７ｂ２  内側結束ベルト部分
７０  上箱
【図１】
0005155419.tif 000002
【図２】
0005155419.tif 000003
【図３】
0005155419.tif 000004
【図４】
0005155419.tif 000005
【図５】
0005155419.tif 000006